(57)【要約】【課題】帯チャート画像を連続して出力することに起因する雨だれの発生を防止することが可能な画像形成装置およびクリーニング条件変更方法を提供する。【解決手段】感光体ドラム２００に当接しながら回転するクリーニングブラシ１９２と、感光体ドラム２００の回転方向においてクリーニングブラシ１９２の下流側に配置され、感光体ドラム２００に当接するクリーニングブレード１９５，１９６とを有し、感光体ドラム２００上において残留したトナーをクリーニングするクリーニング部１９０と、感光体ドラム２００の回転軸方向に感光体ドラム２００の表面を複数の部分に区分し、形成されるトナー像の当該部分毎のカバレッジを部分カバレッジとして算出する部分カバレッジ算出部と、当該複数の部分のうち少なくとも何れかの部分について算出された部分カバレッジが所定値以上である場合、クリーニング部１９０におけるクリーニング条件を変更するようにクリーニング部１９０を制御する制御部１０１とを備える。【選択図】図２
2014224909.tif 000002
【特許請求の範囲】
【請求項１】
像担持体と、
前記像担持体に当接しながら回転するクリーニングブラシと、前記像担持体の回転方向において前記クリーニングブラシの下流側に配置され、前記像担持体に当接するクリーニングブレードとを有し、前記像担持体上において残留したトナーをクリーニングするクリーニング部と、
前記像担持体の回転軸方向に前記像担持体の表面を複数の部分に区分し、形成されるトナー像の当該部分毎のカバレッジを部分カバレッジとして算出する部分カバレッジ算出部と、
前記複数の部分のうち少なくとも何れかの部分について算出された前記部分カバレッジが前記所定値以上である場合、前記クリーニング部におけるクリーニング条件を変更するように前記クリーニング部を制御する制御部と、
を備える画像形成装置。
【請求項２】
前記画像形成装置の周囲の環境を検出する環境検出部を備え、
前記制御部は、前記部分カバレッジが前記所定値以上である場合、前記環境検出部により検出された前記環境に応じて、前記クリーニング部におけるクリーニング条件を変更するように当該クリーニング部を制御する請求項１に記載の画像形成装置。
【請求項３】
前記像担持体の使用履歴を取得する使用履歴取得部を備え、
前記制御部は、前記部分カバレッジが前記所定値以上である場合、前記使用履歴取得部により取得された前記使用履歴に応じて、前記クリーニング部におけるクリーニング条件を変更するように当該クリーニング部を制御する請求項１または２に記載の画像形成装置。
【請求項４】
前記クリーニング条件は、前記クリーニングブラシの前記像担持体に対する周速度比であり、
前記制御部は、前記部分カバレッジが前記所定値以上である場合、前記周速度比を増大させるように前記クリーニング部を制御する請求項１〜３の何れか１項に記載の画像形成装置。
【請求項５】
前記クリーニング部は、前記像担持体の表面に対向して設けられたプレクリーニングチャージャーを有し、
前記クリーニング条件は、前記プレクリーニングチャージャーに供給する電流の極性であり、
前記制御部は、前記部分カバレッジが前記所定値以上である場合、マイナス極性の電流が前記プレクリーニングチャージャーに供給されるように前記クリーニング部を制御する請求項１〜４の何れか１項に記載の画像形成装置。
【請求項６】
前記クリーニング条件は、前記クリーニングブレードの硬度であり、
前記制御部は、前記部分カバレッジが前記所定値以上である場合、前記クリーニングブレードの硬度を増大させるように前記クリーニング部を制御する請求項１〜５の何れか１項に記載の画像形成装置。
【請求項７】
前記部分カバレッジ算出部は、所定枚数あたりの前記部分カバレッジを算出し、
前記制御部は、前記部分カバレッジ算出部により算出された前記部分カバレッジが２５［％］以上である場合、前記クリーニング部におけるクリーニング条件を変更するように当該クリーニング部を制御する請求項１〜６の何れか１項に記載の画像形成装置。
【請求項８】
像担持体と、
前記像担持体に当接しながら回転するクリーニングブラシと、前記像担持体の回転方向において前記クリーニングブラシの下流側に配置され、前記像担持体に当接するクリーニングブレードとを有し、前記像担持体上において残留したトナーをクリーニングするクリーニング部と、
を備える画像形成装置におけるクリーニング条件変更方法であって、
前記像担持体の回転軸方向に前記像担持体の表面を複数の部分に区分し、形成されるトナー像の当該部分毎のカバレッジを部分カバレッジとして算出する第１のステップと、
前記複数の部分のうち少なくとも何れかの部分について算出された前記部分カバレッジが所定値以上である場合、前記クリーニング部におけるクリーニング条件を変更するように前記クリーニング部を制御する第２のステップと、
を有するクリーニング条件変更方法。
【発明の詳細な説明】
【技術分野】
【０００１】
本発明は、画像形成装置およびクリーニング条件変更方法に関する。
【背景技術】
【０００２】
従来、感光体ドラム上に形成された静電潜像をトナーで現像してトナー像を形成し、形成されたトナー像を記録用紙に転写し、転写されたトナー像を加熱定着することで、記録用紙上に画像を形成する電子写真方式の画像形成装置が知られている。
【０００３】
このような画像形成装置において、記録用紙上にトナー像を転写した後の感光体ドラム上に残留したトナー（以下、「残留トナー」という）をクリーニングするクリーニング部を備えた画像形成装置が提供されている。そのようなクリーニング部としては、感光体ドラムの表面に当接しながら回転することで残留トナーを回収するクリーニングブラシと、感光体ドラムの回転方向においてクリーニングブラシよりも下流側に配置され、感光体ドラムに当接して残留トナーを除去するクリーニングブレードとを備えて構成されている。
【０００４】
引用文献１には、トナー保持部材として捲縮加工を施した繊維を少なくとも含む部材を用い、当該トナー保持部材に多量のトナーを保持させることによって、感光体ドラムの表面に付着した放電生成物を長期間にわたって除去する技術が開示されている。引用文献１に記載の技術によれば、「Ｄｅｌｅｔｉｏｎ」と呼ばれる画像の白抜けや、当該「Ｄｅｌｅｔｉｏｎ」の発生を防止するために回転ブラシクリーナーを用いることに起因する「雨だれ状のＦｉｌｍｉｎｇ」の発生を防止することができる。
【先行技術文献】
【特許文献】
【０００５】
【特許文献１】特開２００８−１１６５７５号公報
【発明の概要】
【発明が解決しようとする課題】
【０００６】
ところで、図１１に示すように、記録用紙１０の用紙搬送方向に対して平行に高画像濃度の帯チャート画像２０，３０を連続して出力すると、感光体ドラムの表面上において当該帯チャート画像２０、３０に対応する位置だけカバレッジ（印字率）が高くなる。
【０００７】
高画像濃度の帯チャート画像２０，３０を連続して出力する場合のように、クリーニング装置による感光体ドラムのクリーニングにおいて、大量のトナーに含まれるトナー微粒子やトナー外添剤がクリーニングブレードをすり抜ける際、感光体ドラムの表面に押し付けられ、当該トナー微粒子やトナー外添剤は、感光体ドラムの表面上に雨だれ状の核として強固に付着する。その後のクリーニングにおいて、感光体ドラムの表面上に付着した核を起点として更にトナー微粒子やトナー外添剤が付着し、当該核が大きな雨粒のような塊に成長する。核が存在する場所では、潜像を形成する露光が遮断されるため、当該場所にはトナーが付着せず、記録用紙１０に形成された画像中に白く抜けた部分として現れる。このような現象は画像不良の１つとして知られており、「雨だれ（ダッシュマーク）」と称されることもある。
【０００８】
従来では、擦過力の強いクリーニングブラシ等を用いて感光体ドラムの表面を研磨することにより、トナー微粒子やトナー外添剤が感光体ドラムの表面に付着し続けないようにする対策が行われている。しかし、最近の感光体ドラムは、無機フィラーとモノマーとからなる硬化型表面層から形成されており、当該感光体ドラムの表面を研磨することは困難になってきている。
【０００９】
なお、特許文献１に記載の技術は、「Ｄｅｌｅｔｉｏｎ」の発生を防止するために回転ブラシクリーナーを用いることに起因する「雨だれ状のＦｉｌｍｉｎｇ」の発生を防止することを目的としたものであって、帯チャート画像を連続して出力することに起因する雨だれの発生を防止することを目的としたものではなく、したがってそのための構成を有していない。
【００１０】
本発明は、帯チャート画像を連続して出力することに起因する雨だれの発生を防止することが可能な画像形成装置およびクリーニング条件変更方法を提供することを目的とする。
【課題を解決するための手段】
【００１１】
本発明に係る画像形成装置は、
像担持体と、
前記像担持体に当接しながら回転するクリーニングブラシと、前記像担持体の回転方向において前記クリーニングブラシの下流側に配置され、前記像担持体に当接するクリーニングブレードとを有し、前記像担持体上において残留したトナーをクリーニングするクリーニング部と、
前記像担持体の回転軸方向に前記像担持体の表面を複数の部分に区分し、形成されるトナー像の当該部分毎のカバレッジを部分カバレッジとして算出する部分カバレッジ算出部と、
前記複数の部分のうち少なくとも何れかの部分について算出された前記部分カバレッジが所定値以上である場合、前記クリーニング部におけるクリーニング条件を変更するように前記クリーニング部を制御する制御部と、
を備える。
【００１２】
本発明に係る画像形成装置におけるクリーニング条件変更方法は、
像担持体と、
前記像担持体に当接しながら回転するクリーニングブラシと、前記像担持体の回転方向において前記クリーニングブラシの下流側に配置され、前記像担持体に当接するクリーニングブレードとを有し、前記像担持体上において残留したトナーをクリーニングするクリーニング部と、
を備える画像形成装置におけるクリーニング条件変更方法であって、
前記像担持体の回転軸方向に前記像担持体の表面を複数の部分に区分し、形成されるトナー像の当該部分毎のカバレッジを部分カバレッジとして算出する第１のステップと、
前記複数の部分のうち少なくとも何れかの部分について算出された前記部分カバレッジが所定値以上である場合、前記クリーニング部におけるクリーニング条件を変更するように前記クリーニング部を制御する第２のステップと、
を有する。
【発明の効果】
【００１３】
本発明によれば、帯チャート画像を連続して出力することに起因する雨だれの発生を防止することが可能な画像形成装置およびクリーニング条件変更方法を提供することができる。
【図面の簡単な説明】
【００１４】
【図１】本実施の形態における画像形成装置の制御ブロックを示す図である。
【図２】本実施の形態におけるクリーニング部の構成を示す図である。
【図３】感光体ドラムの回転軸方向に感光体ドラムの表面を複数の部分に区分した様子を示す図である。
【図４】本実施の形態における部分カバレッジの算出例を示す表である。
【図５】本実施の形態における画像形成装置のクリーニング条件変更動作を示すフローチャートである。
【図６】評価実験におけるカバレッジ検知方法およびクリーニング条件を示す表である。
【図７】評価実験において記録用紙に形成される画像を示す図である。
【図８】評価実験の結果を示す表である。
【図９】評価実験の結果を示す表である。
【図１０】評価実験の結果を示す表である。
【図１１】従来技術の問題点を説明する図である。
【発明を実施するための形態】
【００１５】
以下、本発明の実施の形態を図面に基づいて詳細に説明する。
［画像形成装置１００の構成］
図１に示す画像形成装置１００は、電子写真プロセスにより記録用紙に画像を形成する。画像形成装置１００は、制御部１０１、原稿読み取り部１１０、操作表示部１２０、画像処理部１３０、画像書き込み部１４０、画像形成部１５０、搬送部１６０、定着部１７０、通信部１７１、記憶部１７２および温湿度検出部１８０（環境検出部）を備える。なお、制御部１０１は、部分カバレッジ算出部および使用履歴取得部としても機能する。
【００１６】
制御部１０１は、ＣＰＵ（Ｃｅｎｔｒａｌ  Ｐｒｏｃｅｓｓｉｎｇ  Ｕｎｉｔ）１０２、ＲＯＭ（Ｒｅａｄ  Ｏｎｌｙ  Ｍｅｍｏｒｙ）１０３、ＲＡＭ（Ｒａｎｄｏｍ  Ａｃｃｅｓｓ  Ｍｅｍｏｒｙ）１０４等を備えている。ＣＰＵ１０２は、ＲＯＭ１０３から処理内容に応じたプログラムを読み出してＲＡＭ１０４に展開し、展開したプログラムと協働して画像形成装置１００の各ブロックの動作を制御する。このとき、記憶部１７２に格納されている各種データが参照される。記憶部１７２は、例えば不揮発性の半導体メモリ（いわゆるフラッシュメモリ）やハードディスクドライブで構成される。
【００１７】
制御部１０１は、通信部１７１を介して、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の通信ネットワークに接続された外部装置（例えばパーソナルコンピューター）との間で、各種データの送受信を行う。制御部１０１は、例えば、外部装置から送信された画像データを受信し、この画像データ（入力画像データ）に基づいて記録用紙に画像を形成させる。通信部１７１は、例えばＬＡＮカード等の通信制御カードで構成される。
【００１８】
原稿読み取り部１１０は、コンタクトガラス上に搬送された原稿を光学的に走査し、原稿からの反射光をＣＣＤ（Ｃｈａｒｇｅ  Ｃｏｕｐｌｅｄ  Ｄｅｖｉｃｅ）センサーの受光面上に結像させ、原稿を読み取る。なお、コンタクトガラス上への原稿の搬送は、自動原稿給紙装置（ＡＤＦ）により行われるが、手作業で原稿をコンタクトガラス上に載置する場合もある。
【００１９】
操作表示部１２０は、タッチパネル式の画面を有する。ユーザーが行う各種の指示および設定のための入力操作は、タッチパネル式の画面を介して行うことができる。本実施の形態では、ユーザーは、操作表示部１２０を介して印刷ジョブを入力することができる。操作表示部１２０は、ユーザーにより印刷ジョブを入力する操作を受け付けた場合、当該印刷ジョブの内容を示す印刷ジョブ情報を制御部１０１に出力する。
【００２０】
画像処理部１３０は、アナログディジタル（Ａ／Ｄ）変換処理を行う回路およびディジタル画像処理を行う回路を含む。画像処理部１３０は、原稿読み取り部１１０のＣＣＤセンサーにより取得されたアナログ画像信号から、Ａ／Ｄ変換処理によりディジタル画像データを生成して画像書き込み部１４０に出力する。
【００２１】
画像書き込み部１４０は、画像処理部１３０により生成されたディジタル画像データに基づいてレーザー光を発光し、当該発光したレーザー光を、画像形成部１５０の感光体ドラム（像担持体）に照射することにより、感光体ドラム上に静電潜像を形成する（露光工程）。
【００２２】
画像形成部１５０は、上記の露光工程に加え、露光工程前に行われる帯電工程、露光工程後に行われる現像工程、現像工程後の転写工程および転写工程後のクリーニング工程をそれぞれ実行するための構成を備えている。帯電工程では、画像形成部１５０は、帯電装置からのコロナ放電により、感光体ドラム表面を一様に帯電させる。現像工程では、画像形成部１５０は、現像装置内の現像剤に含まれるトナーを感光体ドラム上の静電潜像に付着させることにより、感光体ドラム上にトナー像を形成する。本実施の形態における現像剤は、重合法により作成された６［μｍ］トナーと、６０［μｍ］キャリアーとからなる２成分現像剤である。
【００２３】
転写工程では、画像形成部１５０は、感光体ドラム上のトナー像を、搬送部１６０により搬送された記録用紙に転写させる。
【００２４】
クリーニング工程では、後述するクリーニング部１９０は、クリーニングブラシ等を感光体ドラムに接触させることにより、転写工程後の感光体ドラムに残留しているトナー（以下、「残留トナー」という）をクリーニングする。
【００２５】
定着部１７０は、定着ローラーおよび加圧ローラーを備える。加圧ローラーは、定着ローラーと圧接した状態で配置されている。定着ローラーと加圧ローラーとの圧接部には定着ニップ部が形成されている。定着部１７０は、定着ニップ部に導入された記録用紙上のトナー像に熱および圧力を加えること（加熱定着）により、トナー像を記録用紙に定着させる（定着工程）。この結果、記録用紙上には定着トナー像が形成される。定着部１７０により加熱定着された記録用紙は、画像形成装置１００の外部に排出される。
【００２６】
温湿度検出部１８０は、画像形成装置１００の周囲の温度および湿度を検知する。温湿度検出部１８０は、画像形成装置１００の周囲の温度および湿度を検知する毎に、当該温度および湿度を示す温湿度情報を制御部１０１に出力する。
【００２７】
［クリーニング部１９０の構成］
本実施の形態では、図２に示すように、クリーニング部１９０は、ＰＣＣ（プレクリーニングチャージャー）１９１、クリーニングブラシ１９２、フリッカーローラー１９３、スクレーパー１９４、クリーニングブレード１９５，１９６、保持部材１９７および、ＰＣＣ１９１以外の各部材を収容する筐体１９８等を備えている。なお、感光体ドラム２００は、無機フィラーとモノマーとからなる硬化型表面層から形成されている。感光体ドラム２００の線速は、５７０［ｍｍ／秒］である。
【００２８】
ＰＣＣ１９１は、感光体ドラム２００に対向して設けられている。ＰＣＣ１９１は、コロトロン形式のチャージャーであり、その電極に所定の定電流電源（図示せず）が接続されて、制御部１０１により印加タイミングおよび電流量が制御される。ＰＣＣ１９１は、感光体ドラム２００上の残留トナーに対し、感光体ドラム２００の表面の帯電極性（マイナス極性）と同極性（マイナス極性）の電荷を付与することによって、クリーニングブラシ１９２による残留トナーの回収を容易にする。感光体ドラム２００の表面の帯電電位は、−６００［Ｖ］である。
【００２９】
クリーニングブラシ１９２は、ＰＣＣ１９１よりも感光体ドラム２００の回転方向下流側で感光体ドラム２００に当接して設けられ、感光体ドラム２００の表面上から残留トナーを拾い上げる。クリーニングブラシ１９２は、感光体ドラム２００の表面に接触して対向配置され、制御部１０１の制御を受けた駆動装置（図示せず）により図２中の矢印方向に回転可能に構成されている。クリーニングブラシ１９２は、回転部材の表面に、弾性を有する導電性繊維（例えば、アクリル樹脂）が複数植毛されて構成されている。
【００３０】
フリッカーローラー１９３は、クリーニングブラシ１９２に接触して対向配置され、制御部１０１の制御を受けた駆動装置により図２中の矢印方向に回転可能に構成されている。フリッカーローラー１９３は、クリーニングブラシ１９２に拾い上げられた残留トナーをフリッカーローラー１９３の表面上に回収する。本実施の形態では、フリッカーローラー１９３は、接地電位とされている。よって、感光体ドラム２００上のマイナス帯電した残留トナーは、フリッカーローラー１９３と感光体ドラム２００との間に作用する電界方向（フリッカーローラー１９３から感光体ドラム２００に向かう方向）と逆方向に引き寄せられるため、クリーニングブラシ１９２により拾い上げられやすい。
【００３１】
スクレーパー１９４は、その先端部がフリッカーローラー１９３の表面に押し当てられた状態で筺体１９８内に固定されている。フリッカーローラー１９３が回転駆動することによって、フリッカーローラー１９３に回収され表面上に付着した残留トナーがスクレーパー１９４により掻き落とされる。
【００３２】
保持部材１９７は、クリーニングブレード１９５，１９６を保持し、制御部１０１の制御を受けた駆動装置により、保持軸１９７ａを中心として回転可能に構成されている。制御部１０１は、保持部材１９７を回転させることにより、クリーニングブレード１９５またはクリーニングブレード１９６の先端を感光体ドラム２００に当接させることができる。デフォルト状態では、クリーニングブレード１９５よりも硬度が低いクリーニングブレード１９６の先端が感光体ドラム２００に当接している。
【００３３】
クリーニングブレード１９５，１９６は、ゴム等の弾性部材であり、感光体ドラム２００上の残留トナーを掻き落とすとともに、残留トナー以外の紙粉等の付着物を除去する。クリーニングブレード１９５，１９６によって感光体ドラム２００から掻き落とされる残留トナーは、クリーニングブラシ１９２に落下して回収される。
【００３４】
筺体１９８は、上記したクリーニングブラシ１９２、フリッカーローラー１９３、スクレーパー１９４等を収容し、筺体１９８の底部にはスクリュー（図示せず）が設けられている。スクリューは、所定の方向に回転可能に構成されており、上方から落下してきた残留トナーを回収する。スクリューは、回収した残留トナーを廃トナーボックス（図示せず）に収容する。
【００３５】
制御部１０１は、画像形成装置１００による画像形成処理の実行前に、操作表示部１２０から出力された印刷ジョブ情報により示される印刷ジョブの内容を参照し、当該画像形成処理の実行によって、記録用紙に形成された画像中に雨だれ（画像不良）が発生する可能性が高いか否かについて判断する。例えば、制御部１０１は、印刷ジョブの内容が高画像濃度の帯チャート画像を連続して出力する内容である場合には雨だれが発生する可能性が高いと判断する。
【００３６】
制御部１０１は、雨だれが発生する可能性が高いか否かについて、以下のように判断を行う。すなわち、制御部１０１は、図３に示すように、感光体ドラム２００の回転軸方向に感光体ドラム２００の表面を複数（本実施の形態では、１０）の部分に区分し、画像処理部１３０により生成されたディジタル画像データに基づき、所定枚数（本実施の形態では、１０００［枚］）あたりの形成されるトナー像の、当該部分毎のカバレッジを部分カバレッジとして算出する。そして、制御部１０１は、区分された複数の部分のうち少なくとも何れかの部分について、算出した部分カバレッジが２５［％］以上である場合、雨だれが発生する可能性が高いと判断する。ここで、雨だれが発生する可能性が高いと判断する部分カバレッジ：２５［％］は、雨だれの発生状況を実際に確認した結果に基づいている。つまり、１０００［枚］分の記録用紙における部分カバレッジがそれぞれ１００［％］、８０［％］、５０［％］、２５［％］、１０［％］または１［％］である場合、雨だれが発生したのは、部分カバレッジが２５［％］以上のときだったからである。
【００３７】
なお、感光体ドラム２００の回転軸方向に感光体ドラム２００の表面を区分する数は、１０に限られない。また、部分カバレッジを算出する対象の枚数である所定枚数は、１０００［枚］に限られない。
【００３８】
図４は、本実施の形態における部分カバレッジの算出例を示す表である。図４に示す例では、印刷ジョブは、印刷枚数が２０５００［枚］である画像形成処理を実行する内容である。この場合、印刷枚数の２０５００［枚］を所定枚数（１０００［枚］）毎に２０個の列に区切っている。そして、各列に対応する画像形成処理が実行される場合において、感光体ドラム２００の回転軸方向に区切られた部分毎に形成されるトナー像の部分カバレッジを算出している。なお、印刷枚数の２０００１〜２０５００［枚目］は、合計５００［枚］しかなく、所定枚数の１０００［枚］に達しておらず、１つの列として区切っていない。この場合、残り５００［枚］の印刷履歴を次の印刷ジョブに加えて、当該印刷ジョブの画像形成処理が実行される場合において雨だれが発生する可能性が高いか否かについて判断を行う。
【００３９】
図４に示すように、列３の部分（ｃ）における部分カバレッジが２５［％］以上であるため、制御部１０１は、２００１〜３０００［枚目］の画像形成処理が実行される場合、部分（ｃ）において雨だれが発生する可能性が高いと判断する。また、列２０の部分（ｃ），（ｉ）における部分カバレッジが２５［％］以上であるため、制御部１０１は、１９００１〜２００００［枚目］の画像形成処理が実行される場合、部分（ｃ），（ｉ）において雨だれが発生する可能性が高いと判断する。なお、それ以外の列の各部分では、部分カバレッジが２５［％］未満であるため、制御部１０１は、雨だれが発生する可能性が高いと判断しない。
【００４０】
制御部１０１は、雨だれが発生する可能性が高い列が存在すると判断した場合には、当該雨だれの発生を防止するため、クリーニング部１９０におけるクリーニング条件を変更する。クリーニング条件を変更するタイミングは、雨だれが発生する可能性が高い列の画像形成処理が実行されている間である。図４の部分カバレッジ算出結果に従えば、列３に対応する２００１〜３０００［枚目］、および、列２０に対応する１９００１〜２００００［枚目］の画像形成処理が実行される場合、クリーニング条件を変更する。
【００４１】
本実施の形態では、クリーニング条件は、３つの条件からなる。１つ目のクリーニング条件は、クリーニングブラシ１９２の感光体ドラム２００に対する周速度比（θ）である。制御部１０１は、雨だれが発生する可能性が高いと判断した場合、クリーニングブラシ１９２の感光体ドラム２００に対する周速度比を増大させるため、クリーニングブラシ１９２の回転速度を増大させるように制御する。この制御により、感光体ドラム２００に対するクリーニングブラシ１９２の擦過力が増大し、クリーニングブラシ１９２による残留トナーの回収量を増大させることができる。
【００４２】
２つ目のクリーニング条件は、ＰＣＣ１９１に供給する電流の極性である。制御部１０１は、雨だれが発生する可能性が高いと判断した場合、マイナス極性の電流がＰＣＣ１９１に供給されるように、ＰＣＣ１９１に接続された定電流電源を制御する。この制御により、感光体ドラム２００上の残留トナーは、感光体ドラム２００の表面の帯電極性（マイナス極性）と同極性（マイナス極性）に帯電し、感光体ドラム２００に対する残留トナーの付着力を減少させて、クリーニングブラシ１９２による残留トナーの回収量を増大させることができる。
【００４３】
３つ目のクリーニング条件は、感光体ドラム２００に当接するクリーニングブレードの硬度である。制御部１０１は、雨だれが発生する可能性が高いと判断した場合、感光体ドラム２００に当接するクリーニングブレードの硬度を増大させる。具体的には、制御部１０１は、保持部材１９７を回転させることによって、感光体ドラム２００に当接するクリーニングブレードを、硬度が６５［°］であるクリーニングブレード１９６から、硬度が６９［°］であるクリーニングブレード１９５に切り替える。この切り替えにより、残留トナーに含まれるトナー微粒子やトナー外添剤はクリーニングブレード１９５をすり抜けにくくなるとともに、クリーニングブレード１９５に掻き取られて除去されやすくなり、当該トナー微粒子やトナー外添剤が感光体ドラム２００の表面上に雨だれ状の核として付着することを防止することができる。
【００４４】
次に、図５のフローチャートを参照し、画像形成装置１００のクリーニング条件変更動作について説明する。図５に示す各処理は、例えば操作表示部１２０が、ユーザーにより印刷ジョブを入力する操作を受け付けて、当該印刷ジョブの内容を示す印刷ジョブ情報を制御部１０１に出力した後に実行される。
【００４５】
［画像形成装置１００のクリーニング条件変更動作］
まず、制御部１０１は、操作表示部１２０から出力された印刷ジョブ情報を参照し、当該印刷ジョブ情報に含まれる印刷枚数（Ｎｐ）を取得する（ステップＳ１００）。次に、制御部１０１は、記憶部１７２を参照し、前回のクリーニング条件変更動作時に保存された印刷履歴があるか否かについて判定する（ステップＳ１２０）。この判定の結果、印刷履歴がない場合（ステップＳ１２０、ＮＯ）、処理はステップＳ１６０に遷移する。
【００４６】
一方、印刷履歴がある場合（ステップＳ１２０、ＹＥＳ）、制御部１０１は、ステップＳ１００にて取得した印刷枚数（Ｎｐ）に、当該印刷履歴に含まれる印刷枚数（Ｎｐ１）または印刷枚数（Ｎｒ）を加算する（ステップＳ１４０）。
【００４７】
ステップＳ１６０では、制御部１０１は、ステップＳ１００にて取得した印刷枚数（Ｎｐ）、または、ステップＳ１４０にて印刷履歴を加算した印刷枚数（Ｎｐ）が所定枚数（本実施の形態では、１０００［枚］）以上であるか否かについて判定する（ステップＳ１６０）。この判定の結果、所定枚数以上でない場合（ステップＳ１６０、ＮＯ）、制御部１０１は、画像処理部１３０により生成されたディジタル画像データに基づき、印刷枚数（Ｎｐ）分の記録用紙単位で、感光体ドラム２００の表面上における各部分の印字ドット数Ｎｄ１〜Ｎｄ１０を入力する（ステップＳ２２０）。
【００４８】
次に、制御部１０１は、ステップＳ２２０の入力結果に基づいて、感光体ドラム２００の表面上における各部分の印刷枚数（Ｎｐ）分の累計印字ドット数Ｎｔ１’〜Ｎｔ１０’を印刷履歴として記憶部１７２に保存する（ステップＳ２４０）。また、制御部１０１は、印刷枚数（Ｎｐ）を印刷枚数（Ｎｐ１）として記憶部１７２に保存する（ステップＳ２４０）。ステップＳ２４０の処理が完了することによって、画像形成装置１００は図５における処理を終了する。
【００４９】
一方、所定枚数以上である場合（ステップＳ１６０、ＹＥＳ）、制御部１０１は、画像処理部１３０により生成されたディジタル画像データに基づき、印刷枚数（Ｎｐ）分の記録用紙単位で、感光体ドラム２００の表面上における各部分の印字ドット数Ｎｄ１〜Ｎｄ１０を入力する（ステップＳ１８０）。この際、記憶部１７２に保存されている印刷履歴（累計印字ドット数Ｎｔ１’〜Ｎｔ１０’、または、累計印字ドット数Ｎｔ１’’〜Ｎｔ１０’’）が存在すれば、各部分の印字ドット数Ｎｄ１〜Ｎｄ１０に、累計印字ドット数Ｎｔ１’〜Ｎｔ１０’、または、累計印字ドット数Ｎｔ１’’〜Ｎｔ１０’’を加算する。
【００５０】
次に、制御部１０１は、ステップＳ１８０の入力結果に基づいて、感光体ドラム２００の表面上における各部分について、所定枚数あたり（すなわち、各列）の累計印字ドット数Ｎｔ１〜Ｎｔ１０を算出する（ステップＳ２００）。次に、制御部１０１は、印刷枚数（Ｎｐ）を所定枚数で割りきれるか否かについて判定する（ステップＳ２６０）。この判定の結果、印刷枚数（Ｎｐ）を所定枚数で割りきれる場合（ステップＳ２６０、ＹＥＳ）、制御部１０１は、ステップＳ２００の算出結果に基づいて、印刷枚数（Ｎｐ）を所定枚数毎に区切った各列において、感光体ドラム２００の表面上における各部分の部分カバレッジを算出する（ステップＳ２８０）。
【００５１】
次に、制御部１０１は、ステップＳ２８０の算出結果に基づいて、各列において、クリーニング部１９０におけるクリーニング条件を変更する必要があるか否かについて判定する（ステップＳ３００）。制御部１０１は、各列において、算出した部分カバレッジが２５［％］以上である部分が１つでも存在する場合、クリーニング条件を変更する必要があると判定する。この判定の結果、クリーニング条件を変更する必要がない場合（ステップＳ３００、ＮＯ）、処理はステップＳ３４０に遷移する。
【００５２】
一方、クリーニング条件を変更する必要がある場合（ステップＳ３００、ＹＥＳ）、制御部１０１は、部分カバレッジが２５［％］以上である部分が１つでも存在する列の画像形成処理が実行されている間、当該クリーニング条件を変更する（ステップＳ３２０）。最後に、制御部１０１は、記憶部１７２に保存されている印刷履歴を初期化する（ステップＳ３４０）。ステップＳ３４０の処理が完了することによって、画像形成装置１００は図５における処理を終了する。
【００５３】
ステップＳ２６０の判定処理に戻り、印刷枚数（Ｎｐ）を所定枚数で割りきれない場合（ステップＳ２６０、ＮＯ）、制御部１０１は、ステップＳ２００の算出結果に基づいて、印刷枚数（Ｎｐ）を所定枚数毎に区切った各列において、感光体ドラム２００の表面上における各部分の部分カバレッジを算出する（ステップＳ３６０）。
【００５４】
次に、制御部１０１は、ステップＳ２００の入力結果に基づいて、印刷枚数（Ｎｐ）を所定枚数で割った場合における余りの印刷枚数（Ｎｒ）分について、感光体ドラム２００の表面上における各部分の累計印字ドット数Ｎｔ１’’〜Ｎｔ１０’’を印刷履歴として記憶部１７２に保存する（ステップＳ３８０）。また、制御部１０１は、印刷枚数（Ｎｒ）を記憶部１７２に保存する（ステップＳ３８０）。
【００５５】
次に、制御部１０１は、ステップＳ３６０の算出結果に基づいて、各列において、クリーニング部１９０におけるクリーニング条件を変更する必要があるか否かについて判定する（ステップＳ４００）。制御部１０１は、各列において、算出した部分カバレッジが２５［％］以上である部分が１つでも存在する場合、クリーニング条件を変更する必要があると判定する。この判定の結果、クリーニング条件を変更する必要がない場合（ステップＳ４００、ＮＯ）、画像形成装置１００は図５における処理を終了する。
【００５６】
一方、クリーニング条件を変更する必要がある場合（ステップＳ４００、ＹＥＳ）、制御部１０１は、部分カバレッジが２５［％］以上である部分が１つでも存在する列の画像形成処理が実行されている間、当該クリーニング条件を変更する（ステップＳ４２０）。ステップＳ４２０の処理が完了することによって、画像形成装置１００は図５における処理を終了する。
【００５７】
［本実施の形態の効果］
以上詳しく説明したように、本実施の形態では、画像形成装置１００は、感光体ドラム２００と、感光体ドラム２００に当接しながら回転するクリーニングブラシ１９２と、感光体ドラム２００の回転方向においてクリーニングブラシ１９２の下流側に配置され、感光体ドラム２００に当接するクリーニングブレード１９５，１９６とを有し、感光体ドラム２００上において残留したトナーをクリーニングするクリーニング部１９０と、感光体ドラム２００の回転軸方向に感光体ドラム２００の表面を複数の部分に区分し、形成されるトナー像の当該部分毎のカバレッジを部分カバレッジとして算出する部分カバレッジ算出部（制御部１０１）と、複数の部分のうち少なくとも何れかの部分について算出された部分カバレッジが所定値以上である場合、クリーニング部１９０におけるクリーニング条件を変更するようにクリーニング部１９０を制御する制御部１０１とを備える。
【００５８】
このように構成した本実施の形態によれば、高画像濃度の帯チャート画像を連続して出力する場合のように雨だれが発生しやすい状況を検知して、クリーニング部１９０におけるクリーニング条件が変更される。具体的には、クリーニングブラシ１９２の感光体ドラム２００に対する周速度比を増大させる。また、マイナス極性の電流がＰＣＣ１９１に供給されるように、ＰＣＣ１９１に接続された定電流電源を制御する。また、感光体ドラム２００に当接するクリーニングブレードの硬度を増大させる。これらのクリーニング条件の変更によって、クリーニングブラシ１９２による残留トナーの回収量が増大するため、クリーニングブレードへ到達する残留トナーの量を減少させることができる。また、クリーニングブレードの硬度が高くなることによって、残留トナーに含まれるトナー微粒子やトナー外添剤がクリーニングブレード１９５をすり抜けることを防止することができる。以上のように、トナー微粒子やトナー外添剤が感光体ドラム２００の表面上に雨だれ状の核として付着する機会を減少させ、帯チャート画像を連続して出力することに起因する雨だれの発生を防止することができる。
【００５９】
［変形例］
なお、上記実施の形態では、制御部１０１は、雨だれが発生する可能性が高いと判断した場合、クリーニング部１９０における３つのクリーニング条件を変更する例について説明したが、本発明はこれに限定されない。例えば、制御部１０１は、クリーニング部１９０における３つのクリーニング条件のうち１つまたは２つのみを変更しても良い。
【００６０】
また、上記実施の形態では、感光体ドラム２００が、本発明の像担持体として機能する例について説明したが、本発明はこれに限定されない。例えば、中間転写方式の画像形成装置１００では、中間転写ローラーや中間転写ベルト等の中間転写体が、本発明の像担持体として機能しても良い。
【００６１】
また、上記実施の形態では、画像形成装置１００による画像形成処理の実行前に、記録用紙に形成された画像中に雨だれが発生する可能性が高いか否かについて判断する例につて説明したが、当該画像形成処理の実行中に、雨だれが発生する可能性が高いか否かについて判断しても良い。
【００６２】
また、上記実施の形態では、制御部１０１は、区分された複数の部分のうち少なくとも何れかの部分について、算出した部分カバレッジが２５［％］以上である場合、クリーニング部１９０におけるクリーニング条件を変更する例について説明したが、本発明はこれに限定されない。例えば、制御部１０１は、区分された複数の部分のうち少なくとも何れかの部分について、算出した部分カバレッジが２５［％］以上である場合、温湿度検出部１８０から出力された温湿度情報（画像形成装置１００の周囲の環境）に応じてクリーニング条件を変更しても良い。低温低湿環境（１０［℃］／２０［％］）では、高温高湿環境（例えば、３０［℃］／８０［％］）よりも記録用紙に形成された画像中に雨だれが発生する可能性が高い。湿度が低く、トナー帯電量が高いため、感光体ドラム２００とトナーの付着力が強くなり、感光体ドラム２００に当接するクリーニングブレードへ到達するトナー量が増大するからである。よって、制御部１０１は、部分カバレッジが２５［％］以上であり、かつ、低温低湿環境である場合、クリーニング部１９０におけるクリーニング条件を変更しても良い。
【００６３】
また、制御部１０１は、区分された複数の部分のうち少なくとも何れかの部分について、算出した部分カバレッジが２５［％］以上である場合、感光体ドラム２００の使用履歴（感光体ドラム２００の走行時間、走行距離または回転数等）を取得して、当該使用履歴に応じてクリーニング条件を変更しても良い。感光体ドラム２００の使用履歴が低い場合、感光体ドラム２００の表面が荒れておらず、トナーに含まれるトナー微粒子やトナー外添剤がクリーニングブレードと感光体ドラムの表面との間に押し付けられやすく、感光体ドラム２００の使用履歴が高い場合よりも、感光体ドラム２００の表面上に雨だれ状の核として付着しやすいからである。よって、制御部１０１は、部分カバレッジが２５［％］以上であり、かつ、感光体ドラム２００の使用履歴が低い場合、クリーニング部１９０におけるクリーニング条件を変更しても良い。なお、制御部１０１は、算出した部分カバレッジが２５［％］以上であり、低温低湿環境であり、かつ、感光体ドラム２００の使用履歴が低い場合、クリーニング部１９０におけるクリーニング条件を変更しても良い。
【００６４】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【００６５】
［実施例］
最後に、本発明者が行った、上記実施の形態における有効性を確認する評価実験の結果について説明する。
【００６６】
［従来例、比較例１、比較例２および実施例に係る画像形成装置１００の共通構成］
従来例、比較例１、比較例２および実施例に係る画像形成装置１００の構成は、上記実施の形態で説明した構成と同様である。画像形成装置１００として、「ｂｉｚｈｕｂ  ＰＲＯ１２５０」（コニカミノルタビジネステクノロジーズ社製）を改造して用いた。
【００６７】
［従来例に係る画像形成装置１００の動作およびクリーニング条件］
従来例に係る画像形成装置１００は、図６に示すように、実施例に係る画像形成装置１００と異なり、予め設定された時間あたりについて、感光体ドラム２００の表面に形成されるトナー像のカバレッジを平均カバレッジとして算出する。クリーニング部１９０における第１のクリーニング条件として、クリーニングブラシ１９２の感光体ドラム２００に対する周速度比（θ）は１．４５である。クリーニング部１９０における第２のクリーニング条件として、ＰＣＣ１９１に供給する電流（＋３５［μＡ］）の極性はプラス極性である。クリーニング部１９０における第３のクリーニング条件として、感光体ドラム２００に当接するクリーニングブレード１９６の硬度は６５［°］（低硬度）である。従来例では、算出される平均カバレッジに関係なく、クリーニング条件は固定である。従来例に係るクリーニング条件は、雨だれの発生を防止するのに好適な条件ではない。
【００６８】
［比較例１に係る画像形成装置１００の動作およびクリーニング条件］
比較例１に係る画像形成装置１００は、図６に示すように、実施例に係る画像形成装置１００と異なり、予め設定された時間あたりについて、感光体ドラム２００の表面に形成されるトナー像のカバレッジを平均カバレッジとして算出する。クリーニング部１９０における第１のクリーニング条件として、クリーニングブラシ１９２の感光体ドラム２００に対する周速度比（θ）は１．６５である。クリーニング部１９０における第２のクリーニング条件として、ＰＣＣ１９１に供給する電流（−３５［μＡ］）の極性はマイナス極性である。クリーニング部１９０における第３のクリーニング条件として、感光体ドラム２００に当接するクリーニングブレード１９５の硬度は６９［°］（高硬度）である。以上のように、クリーニング部１９０におけるクリーニング条件は、雨だれの発生を防止するのに好適な条件である。比較例１では、算出される平均カバレッジに関係なく、クリーニング条件は固定である。
【００６９】
［比較例２に係る画像形成装置１００の動作およびクリーニング条件］
比較例２に係る画像形成装置１００は、図６に示すように、実施例に係る画像形成装置１００と異なり、予め設定された時間あたりについて、感光体ドラム２００の表面に形成されるトナー像のカバレッジを平均カバレッジとして算出する。クリーニング部１９０における第１のクリーニング条件として、クリーニングブラシ１９２の感光体ドラム２００に対する周速度比（θ）は１．４５（デフォルト）または１．６５である。クリーニング部１９０における第２のクリーニング条件として、ＰＣＣ１９１に供給する電流（＋３５［μＡ］または−３５［μＡ］）の極性は、プラス極性（デフォルト）またはマイナス極性である。クリーニング部１９０における第３のクリーニング条件として、感光体ドラム２００に当接するクリーニングブレードの硬度は６５［°］（デフォルト）または６９［°］である。比較例２では、算出される平均カバレッジが２５［％］以上である場合、クリーニング条件をデフォルトから、雨だれの発生を防止するのに好適な条件に変更する。つまり、クリーニングブラシ１９２の感光体ドラム２００に対する周速度比（θ）を１．６５に、ＰＣＣ１９１に供給する電流の極性をマイナス極性に、感光体ドラム２００に当接するクリーニングブレードの硬度を６９［°］にそれぞれ変更する。
【００７０】
［実施例に係る画像形成装置１００の動作およびクリーニング条件］
実施例に係る画像形成装置１００は、図６に示すように、従来例、比較例１および比較例２に係る画像形成装置１００と異なり、予め設定された時間あたりについて、感光体ドラム２００の回転軸方向に感光体ドラム２００の表面を複数の部分に区分し、形成されるトナー像の当該部分毎のカバレッジを部分カバレッジとして算出する。クリーニング部１９０における第１のクリーニング条件として、クリーニングブラシ１９２の感光体ドラム２００に対する周速度比（θ）は１．４５（デフォルト）または１．６５である。クリーニング部１９０における第２のクリーニング条件として、ＰＣＣ１９１に供給する電流（＋３５［μＡ］または−３５［μＡ］）の極性は、プラス極性（デフォルト）またはマイナス極性である。クリーニング部１９０における第３のクリーニング条件として、感光体ドラム２００に当接するクリーニングブレードの硬度は６５［°］（デフォルト）または６９［°］である。実施例では、区分された複数の部分のうち少なくとも何れかの部分について、算出される部分カバレッジが２５［％］以上である場合、クリーニング条件をデフォルトから、雨だれの発生を防止するのに好適な条件に変更する。つまり、クリーニングブラシ１９２の感光体ドラム２００に対する周速度比（θ）を１．６５に、ＰＣＣ１９１に供給する電流の極性をマイナス極性に、感光体ドラム２００に当接するクリーニングブレードの硬度を６９［°］にそれぞれ変更する。
【００７１】
［実験方法］
実験では、高温高湿環境において、図７（ａ）に示すハーフトーン画像（カバレッジ：８０［％］）、図７（ｂ）に示す帯チャート画像（帯部：１００［％］ベタ）、図７（ｃ）に示す０．３［％］チャート画像をこの順番で各１０００［枚］、連続して出力させた。
【００７２】
なお、低カバレッジの画像を連続して出力させる場合には、クリーニング部１９０のクリーニングブレードへのトナー供給量が少ないため、いわゆる像流れが発生することが知られている。像流れは、感光体ドラム２００の表面に紙粉や放電生成物が残留すると、これらが水分を吸着することで画像がぼやけたり擦れたように流れたりする画像不良である。また、雨だれの発生を防止するためにクリーニング条件を変更すると、クリーニング部１９０のクリーニングブレード１９５，１９６へのトナー供給量が少なくなり、像流れが発生するおそれがある。そのため、雨だれの発生を防止することと、像流れの発生を防止することとの間には、トレードオフの関係が存在する。
【００７３】
そこで、本評価実験では、図７（ｂ）に示す帯チャート画像、図７（ｃ）に示す０．３［％］チャート画像を連続して出力させる場合、紙間のタイミングで感光体ドラム２００上にトナー帯を形成し、このトナー帯を転写させずにクリーニング部１９０に送り込ませた。帯チャート画像の場合は、帯幅が７［ｍｍ］であるトナー帯を感光体ドラム２００の表面上に形成した。０．３［％］チャート画像の場合には、帯幅が１５［ｍｍ］であるトナー帯を感光体ドラム２００の表面上に形成した。これにより、クリーニング部１９０（クリーニングブレード）は、送り込まれたトナー粒子を用いて感光体ドラム２００の表面を研磨し、紙粉や放電生成物を除去することができ、ひいては像流れの発生を防止することができる。また、紙間のタイミングで感光体ドラム２００上にトナー帯を形成してトナーを排出させることにより、現像剤の劣化を防止することができる。
【００７４】
図８〜１０は、従来例、比較例１、比較例２および実施例において、ハーフトーン画像、帯チャート画像および０．３［％］チャート画像をそれぞれ出力させた場合、雨だれの発生状況、像流れの発生状況および感光体ドラム２００の減耗状況を下記評価基準により評価した結果を示す。
（雨だれの発生状況）
○：形成された印刷画像において、雨だれ（画像不良）は発生しなかった、または発生しても少数だった。
×：形成された印刷画像において、雨だれ（画像不良）は多数発生した。
（像流れの発生状況）
○：形成された印刷画像において、像流れ（画像不良）に起因して発生したトナー濃度差は０．３以下であった。
×：形成された印刷画像において、像流れ（画像不良）に起因して発生したトナー濃度差は０．３を越えた。
（感光体ドラム２００の減耗状況）
○：感光体ドラム２００の減耗量は０．１５［μｍ］以下であった。
×：感光体ドラム２００の減耗量は０．１５［μｍ］を越えた。
【００７５】
図８に示すように、ハーフトーン画像を出力させた場合、従来例では、雨だれの発生を防止することができなかった。クリーニング部１９０のクリーニングブレードへのトナー供給量が多くなる条件であるにも関わらず、当該クリーニング条件が、雨だれの発生を防止するのに好適な条件ではないからである。比較例１では、クリーニング部１９０におけるクリーニング条件が、クリーニングブレードへのトナー供給量を減らす条件であるため、雨だれの発生を防止することができた。しかし、紙間のタイミングでも雨だれの発生を防止するのに好適なクリーニング条件（擦過力の高いクリーニングブラシ１９２、高硬度のクリーニングブレード１９５）であるため、感光体ドラム２００の減耗量は０．１５［μｍ］を越えた。
【００７６】
このように不必要にクリーニングブラシ１９２の擦過力を高めたり、感光体ドラム２００に当接させるクリーニングブレードの硬度を高めたりすると、以下の不都合が生じる。すなわち、クリーニングブラシ１９２の回転速度を上げて擦過力を高めた場合には、クリーニングブラシ１９２の毛長が寝やすくなり、クリーニングブラシ１９２の擦過力が早く低下し、その結果としてクリーニングブラシ１９２の耐久が悪くなる。また、クリーニングブラシ１９２と感光体ドラム２００との周速差が大きくなると、感光体ドラム２００が振れやすくなり、形成される画像に一定の間隔で濃度ムラ（ピッチムラ）が発生する。また、クリーニングブラシ１９２の回転速度を上げることで、クリーニングブラシ１９２で保持しているトナーがこぼれてしまい、画像不良が発生してしまう。高硬度のクリーニングブレード１９５には、クリーニングブレード１９５が摩耗しやすくなり、その後のクリーニング不良を招いてしまう。特に、クリーニングブレード１９５のカット面で摩耗が起きやすい。
【００７７】
比較例２では、算出された平均カバレッジが２５［％］以上であり、クリーニング部１９０におけるクリーニング条件が、クリーニングブレードへのトナー供給量を減らす条件に変更されたため、雨だれの発生を防止することができた。実施例では、区分された複数の部分のうち少なくとも何れかの部分について、算出された部分カバレッジが２５［％］以上であり、クリーニング部１９０におけるクリーニング条件が、クリーニングブレードへのトナー供給量を減らす条件に変更されたため、雨だれの発生を防止することができた。
【００７８】
図９に示すように、帯チャート画像を出力させた場合、従来例では、雨だれの発生を防止することができなかった。クリーニング部１９０のクリーニングブレードへのトナー供給量が多くなる条件であるにも関わらず、当該クリーニング条件が、雨だれの発生を防止するのに好適な条件ではないからである。比較例１では、クリーニング部１９０におけるクリーニング条件が、クリーニングブレードへのトナー供給量を減らす条件であるため、雨だれの発生を防止することができた。しかし、紙間のタイミングでも雨だれの発生を防止するのに好適なクリーニング条件（擦過力の高いクリーニングブラシ１９２、高硬度のクリーニングブレード１９５）であるため、感光体ドラム２００の減耗量は０．１５［μｍ］を越えた。
【００７９】
比較例２では、算出された平均カバレッジが２５［％］未満であり、クリーニング部１９０におけるクリーニング条件が、クリーニングブレードへのトナー供給量を減らす条件に変更されなかったため、雨だれの発生を防止することができなかった。実施例では、区分された複数の部分のうち少なくとも何れかの部分について、算出された部分カバレッジが２５［％］以上であり、クリーニング部１９０におけるクリーニング条件が、クリーニングブレードへのトナー供給量を減らす条件に変更されたため、雨だれの発生を防止することができた。
【００８０】
図１０に示すように、０．３［％］チャート画像を出力させた場合、従来例では、雨だれの発生を防止することができた。クリーニング部１９０のクリーニング条件が、雨だれの発生を防止するのに好適な条件ではないが、クリーニングブレードへのトナー供給量がそもそも少ない条件であるからである。比較例１では、クリーニング部１９０におけるクリーニング条件が、クリーニングブレードへのトナー供給量を減らす条件であるため、雨だれの発生を防止することができた。しかし、紙間のタイミングでも雨だれの発生を防止するのに好適なクリーニング条件（擦過力の高いクリーニングブラシ１９２、高硬度のクリーニングブレード１９５）であるため、感光体ドラム２００の減耗量は０．１５［μｍ］を越えた。
【００８１】
比較例２では、雨だれの発生を防止することができた。算出された平均カバレッジが２５［％］未満であり、クリーニング部１９０におけるクリーニング条件は、クリーニングブレードへのトナー供給量を減らす条件に変更されなかったが、クリーニングブレードへのトナー供給量がそもそも少ない条件であるからである。実施例では、雨だれの発生を防止することができた。区分された複数の部分の全てについて、算出された部分カバレッジが２５［％］未満であり、クリーニング部１９０におけるクリーニング条件は、クリーニングブレードへのトナー供給量を減らす条件に変更されなかったが、クリーニングブレードへのトナー供給量がそもそも少ない条件であるからである。
【００８２】
図８〜１０に示す評価実験の結果から、実施例が、雨だれの発生状況、像流れの発生状況および感光体ドラム２００の減耗状況を良好にする上で一番良い態様であることを確認することができた。
【符号の説明】
【００８３】
１００  画像形成装置
１０１  制御部
１０２  ＣＰＵ
１０３  ＲＯＭ
１０４  ＲＡＭ
１１０  原稿読み取り部
１２０  操作表示部
１３０  画像処理部
１４０  画像書き込み部
１５０  画像形成部
１６０  搬送部
１７０  定着部
１７１  通信部
１７２  記憶部
１８０  温湿度検出部
１９０  クリーニング部
１９１  ＰＣＣ
１９２  クリーニングブラシ
１９３  フリッカーローラー
１９４  スクレーパー
１９５，１９６  クリーニングブレード
１９７  保持部材
１９８  筐体
２００  感光体ドラム
【図１】
2014224909.tif 000003
【図２】
2014224909.tif 000004
【図３】
2014224909.tif 000005
【図４】
2014224909.tif 000006
【図５】
2014224909.tif 000007
【図６】
2014224909.tif 000008
【図７】
2014224909.tif 000009
【図８】
2014224909.tif 000010
【図９】
2014224909.tif 000011
【図１０】
2014224909.tif 000012
【図１１】
2014224909.tif 000013